【事件の表示】
　特願２００３−１４７０８８号「表示装置及び表示装置の表示画面調整方法」拒絶査定不服審判事件〔平成１５年１２月３日出願公開、特開２００３−３４５３２２号〕について、次のとおり審決する。
【結　論】
　本件審判の請求は、成り立たない。
【理　由】
第１　手続の経緯
　本件は、平成４年２月２０日にされた特許出願（特願平４−６９３２０号）の一部を分割して平成９年１月２１日にされた特許出願（特願平９−８３０７号）の一部を更に分割して平成１５年５月２６日にされた特許出願（特願２００３−１４７０８８号。以下「本件出願」という。）につき、拒絶査定が平成１６年４月２１日付けでされたところ、この拒絶査定に対する審判が同年５月２７日に請求されるとともに手続補正書が同年６月２８日に提出され、当審において平成１８年３月１３日付けで通知した拒絶の理由に対し手続補正書及び意見書が同年５月１１日に提出されたものである。
　
第２　本件出願に係る発明
　本件出願の請求項１に係る発明（以下「本願発明」という。）は、平成１５年６月２４日提出の手続補正書、同年１２月１５日提出の手続補正書（平成１６年１月３０日提出の手続補正書により補正されたもの）、平成１６年６月２８日提出の手続補正書及び平成１８年５月１１日提出の手続補正書により補正された明細書及び図面の記載からみて、その特許請求の範囲の請求項１に記載された以下のとおりのものである。
「【請求項１】
　コンピュータと接続可能であり、映像の表示が可能な表示装置において、　前記コンピュータと双方向通信可能なインターフェイスケーブルを介して接続され、前記コンピュータの入力装置に対する操作によって生成された、前記表示装置の表示画面を調整するための制御データを該コンピュータから入力するインターフェイス部と、
　前記インターフェイス部に入力された前記制御データを用いて前記表示画面の制御を行うディスプレイ制御回路と、を備え、
　前記インターフェイス部は、前記ディスプレイ制御回路における前記表示画面の制御結果として、該表示画面の制御状態に関する情報を、前記インターフェイスケーブルを介して送信可能であることを特徴とする表示装置。」
　
第３　引用刊行物に記載された発明
　当審において通知した拒絶の理由で引用した刊行物及びその記載事項は、以下のとおりである。
　１　欧州特許出願公開第４５６９２３号（１９９１年１１月２１日発行。以下「刊行物１」という。）
　刊行物１（翻訳は、原則として、そのパテントファミリである特開平７−３０２０６８号公報による。）には、図面とともに、以下のような記載がされている。
　（１）「本発明は、制御データがコンピュータシステムとディスプレイ装置との間で通信されるディスプレイシステムに関する。」（原文１欄１〜３行）
　（２）「制御データはディスプレイ装置上に表示された像の形状と解像度とを規定するパラメータを含む。」（原文１欄４〜６行）
　（３）「あるディスプレイ装置は、単一の一組のパラメータに従って単一のディスプレイモードにおいてのみ作動しうる。その他のディスプレイ装置は、種々の組のパラメータによって特徴づけられている多数のディスプレイモードの中のいずれかのモードで作動するよう構成することができる。後者を以下マルチモードディスプレイ装置と称する。コンピュータシステムにより制御されるディスプレイ装置においては、適当なビデオ信号および同期信号を発生しうるようディスプレイ装置のタイプをコンピュータシステムが識別することが好ましい。ＩＢＭ　ＰＳ２　レンジを含む、そのようなコンピュータシステムの多様の例ではビデオ信号および同期信号をディスプレイ装置に接続するための出力ポートを有するビデオグラフィックアダプタ（ＶＧＡアダプタ）を含む。ＶＧＡアダプタはまた、出力ポートの識別ピンがディスプレイ装置に接続されると終端される態様に応答するロジックを有する。このロジックは、これらの端子からＶＧＡアダプタに接続されるディスプレイ装置のタイプを識別する。」（原文１欄１７〜３６行）
　（４）「従来技術のディスプレイシステムでは、従来技術のディスプレイインターフェースは限定された数の種々のディスプレイ装置のみ識別でき、従って、そのための適当な制御信号のみしか発生できないという欠点を有する。この限度の理由は、ディスプレイ装置の識別および制御に対して使用しうるピンの数が出力ポートの物理的形態によって制限されるからである。従って、本発明の目的は、限定なしの各種ディスプレイ装置と潜在的に互換性のあるディスプレイアダプタを有するディスプレイシステムを提供することである。」（原文１欄４９行〜２欄２行）
　（５）「本発明によれば、表示すべきデータを定義する複数のデータ信号に応答して可視出力を発生するディスプレイ装置と、該ディスプレイ装置に対して独特のものである制御データにより規定された形態でデータ信号を発生させるディスプレイアダプタ回路と、該ディスプレイアダプタ回路からのデータ信号を前記ディスプレイ装置に接続し、かつ前記ディスプレイ装置からの制御データを前記ディスプレイアダプタ回路に接続するための出力ポートとを含むディスプレイシステムであって、前記ディスプレイ装置に配置され、複数の制御コードの形式で拡張制御データを記憶する持久記憶装置と、前記ディスプレイアダプタ回路によって発生した指令信号に応答して記憶装置と出力ポートとの間で制御コードを通信する通信ロジックとをさらに含むことを特徴とするディスプレイシステムが提供される。このことは、例えばいずれかの新規のディスプレイ装置の信号タイミング要件のような制御データは、ディスプレイ装置の記憶装置内に保持されたディジタル制御コードの形式で記憶することができるので、ディスプレイシステムのプログラミングは、別のディスプレイ装置が出力ポートに接続される毎に更新を必要としないという利点を有する。代りに、ディスプレイアダプタは、新しいディスプレイ装置を正確に駆動するためにビデオ信号および同期信号を発生させる目的で、新しいディスプレイ装置の記憶装置から新しいタイミング要件を読み取ることができる。」（原文２欄３〜３３行）
　（６）「前記通信ロジックは、ディスプレイ装置と出力ポートとの間で制御コードを通信するためのシリアルデータリンクと、記憶装置とシリアルデータリンクとの間で制御コードを通信する装置制御ロジックと、シリアルデータリンクとディスプレイアダプタ回路との間で制御コードを通信するアダプタ制御ロジックとを含みうる。このことは、ディスプレイシステムがマルチモードディスプレイ装置を含む場合、ディスプレイアダプタ回路は、希望するディスプレイモードで作動するようディスプレイ装置を構成するためにシリアルデータリンクを使用しうるという利点を有している。」（原文２欄３４〜４５行）
　（７）「図１は、ＣＲＴディスプレイ装置８８を有するディスプレイシステムを備えるコンピュータシステムの一例を示す」（原文２欄５６〜５８行）
　（８）「コンピュータシステムは、プログラム化された命令を実行するための中央処理装置（ＣＰＵ）８０を含む。バスアーキテクチヤ８６は、ＣＰＵ８０とディスプレイシステムの他の構成要素との間でのデータ通信を提供する。読取り専用メモリ（ＲＯＳ）８１はデータを安全に記憶する。ランダムアクセスメモリ８２は一時的にデータを記憶する。ホストコンピュータシステム９３とのデータ通信は通信アダプタ８５によって提供される。Ｉ／Ｏアダプタ８４は、データがバスアーキテクチヤ８６と、例えばディスクファイル８３のような周辺装置との間を通ることができるようにする。ユーザは、キーボードアダプタ９０によってバスアーキテクチヤ８６に接続されているキーボード９１を用いてコンピュータシステムを操作することができる。ＣＲＴディスプレイ装置８８はディスプレイシステムからの可視出力を提供する。ディスプレイアダプタ９２は、ディスプレイ装置８８が可視出力を発生できるようにするために出力ポート９４においてビデオ信号および同期信号を発生させる。本発明によれば、ディスプレイ装置８８は、デジタルコードの形式のディスプレイ情報を記憶する持久記憶装置（ＮＶＭ）９を含む。ディスプレイ情報は、通信ロジック９５により制御されるシリアルリンク３に沿ってディスプレイ装置８８とディスプレイアダプタ９２との間で通信される。シリアルリンク３は、ディスプレイアダプタ９２からディスプレイ装置までビデオ信号および同期信号を運ぶラインから分離している。通信ロジック９５はアダプタロジック９６と装置ロジック９７とに分割されている。作動時、アダプタロジック９６はＮＶＭ９からデータを読取り、かつそれへ書込む双方の指令を初期化し、装置ロジック９７は対応して応答する。」（原文３欄１〜３３行）
　（９）「通信ロジック９５を図２を参照して以下詳細に説明する。アダプタロジック９６は、プログラム命令に応答して指令コード２１を発生させる装置ドライバ１を含む。第１の並直列変換器２は、第１のラインドライバ４がシリアルリンク３に沿って装置ロジック９７に通信するよう指令コード２１を指令ビットストリーム２２に変換する。装置ロジック９７は指令ビットストリーム２２を検出するための第２の受信器５を含む。第２の直並列変換器６は、指令ビットストリーム２２を指令コード２１に変換し直す。指令復号器７は、指令コード２１をＮＶＭアドレス８へ複号化する。ＮＶＭ９におけるアドレス空間は、パーソナリティＮＶＭ１０とプログラムＮＶＭ１１とに分割されている。パーソナリティＮＶＭ１０は、ディスプレイアダプタ９２に接続されたディスプレイ装置８８の仕様をディスプレイシステムに提供する識別コードを含む。各識別コードは異なるアドレス位置に記憶されている。識別コードは、ディスプレイアダプタ９２が適当なビデオ信号および同期信号を発生させることができるようにさせるコード化したタイミングパラメータを含む。詳しくは、タイミングパラメータは、同期パルス幅、活動ビデオ期間およびブランキング間隔を含む。また、識別コードは、装置ロジック９７がシリアルリンク３からデータを読みまたそれへ書きうる最大速度を示すためのコード化した転送パラメータを含むことが好ましい。何らかの別の指令を発行する前に転送パラメータを読み取ることにより、アダプタロジック９６は、データが後続してアダプタロジック９６と装置ロジック９７の双方と両立する速度でディスプレイ装置８８とディスプレイアダプタ９２との間で転送されることを保証する。各々のタイミングパラメータは、１６ビットの識別コードの形式で記憶される。前記コードの１５ビットはタイミングパラメータの値を規定し、１６番目のビットは極性を規定する。より重要でないタイミングパラメータは８ビット以下のコードの形式で記憶しうる。パーソナリテイＮＶＭは、ディスプレイ装置の種々のディスプレイモードに対応する数組のタイミングパラメータを記憶する。プログラムＮＶＭ１１は、ディスプレイ装置の駆動回路１３により発生する駆動信号を調整するようディスプレイ入力／出力（Ｉ／Ｏ）回路１２に命令する制御コードを記憶している。この駆動信号の例は、ディスプレイ装置８８からの視覚出力の高さ、幅および輝度とに直接影響する。各制御コードは異なるアドレス位置に記憶される。適当な制御コードでディスプレイＩ／Ｏ回路１２を命令することにより、ディスプレイ装置８８の視覚出力は、コンピュータプログラムによって制御されて種々のディスプレイモードの間で切り換えうる。プログラムＮＶＭ１１はまた、駆動回路１３の所定のノードにおける駆動信号の大きさを表わすサンプルコードを発生するようディスプレイＩ／Ｏ回路１２を命令する制御コードを記憶することが好ましい。この制御コードは、製造あるいは修理の後ディスプレイ装置８８の作動を試験するために診断方法を自動化するのに使用しうることが認められる。」（原文３欄３４行〜４欄３９行）
　（１０）「アダプタロジック９６が、読取り指令を出すと、装置ロジック９７は、シリアルリンク３に適当な応答コード２３を置くことにより応答する。応答コード２３は、読取り指令の性格によって、パーソナリティＮＶＭからの識別コード２０か、あるいはディスプレイＩ／Ｏ回路１２からのサンプリングされたデータコード１９でよい。そのような応答を実行するために、装置ロジック９７は、パリティビットを応答コード２３に追加するためのパリティロジック１４を含む。第２の並直列変換器１５が応答コード２３を応答ビットストリーム２４に変換する。応答ビットストリーム２４は、第２のラインドライバ１６によりシリアルリンク３上に置かれる。ディスプレイアダプタ９２において、第１の受信器１７は、シリアルリンク３上で応答ビットストリーム２４を検出する。第１の直並列変換器１８は、検出された応答ビットストリーム２４を応答コード２３へ変換し戻し、この応答コード２３は、装置ドライバ１により復号される。」（原文４欄４０〜５７行）
　（１１）「表示すべきデータを定義する複数のデータ信号に応答して視覚出力を発生させるディスプレイ装置（８８）と、前記ディスプレイ装置（８８）を識別する制御データにより規定される形式でデータ信号を発生させるディスプレイアダプタ回路（９２）と、前記ディスプレイアダプタ回路（９２）からのデータ信号を前記ディスプレイ装置（８８）に接続し、かつ前記ディスプレイ装置（８８）からの制御データを前記ディスプレイアダプタ回路（９２）に接続する出力ポート（９４）とを含むディスプレイシステムにおいて、前記ディスプレイ装置（８８）に配置され、複数の制御コードの形式で制御データを記憶する持久記憶装置（９）と、前記ディスプレイアダプタ回路（９２）により発生する指令信号（２１）に応答して前記持久記憶装置と前記出力ポート（９４）との間で制御コードを通信する通信ロジック（９５）とをさらに含むことを特徴とするディスプレイシステム。」（原文５欄３８行〜６欄７行。但し、行数は、左欄と右欄の間の数字による。以下同様とする。）
　（１２）「前記通信ロジックが、前記ディスプレイ装置と前記出力ポートとの間で制御コードを通信するシリアルデータリンク（３）と、前記ディスプレイ装置に配置され、前記持久記憶装置と前記シリアルデータリンクとの間で制御コードを通信する装置ロジック（９７）と、前記ディスプレイアダプタに配置され、前記シリアルデータリンクと前記ディスプレイアダプタ回路との間で制御コードを通信するアダプタロジック（９６）とを含むことを特徴とする請求項１に記載のディスプレイシステム。」（原文６欄９〜２３行）
　（１３）「６．前記シリアルデータリンクに沿って前記アダプタロジックから前記装置ロジックに通信されたモード制御信号に応答して種々のディスプレイモードで作動するよう前記ディスプレイ装置を構成する手段をさらに含むことを特徴とする請求項２に記載のディスプレイシステム。」（原文７欄８〜１３行）
　（１４）「７．前記シリアルデータリンクに沿って前記アダプタロジックから前記装置ロジックに通信されたパラメータ制御信号に応答して前記ディスプレイ装置の駆動回路の作動パラメータを調整する手段をさらに含むことを特徴とする請求項２または６に記載のディスプレイシステム。」（原文７欄１５〜２０行）
　（１５）「８．前記駆動回路のノードにおいて信号のディジタルサンプルを取得し、かつ前記シリアルデータリンクに沿って前記アダプタロジックから前記装置ロジックへ通信されたデータリクエスト信号に応答して前記装置ロジックから前記アダプタロジックへ前記シリアルデータリンクに沿って前記ディジタルサンプルを通信する手段をさらに含むことを特徴とする請求項７に記載のディスプレイシステム装置。」（原文７欄２２〜２９行）
　２　特開昭６２−１３６６９６号公報（以下「刊行物２」という。）
　刊行物２には、図面とともに、以下のような記載がされている。（なお、引用箇所中、数字を四角形の枠で囲ったものは、「［１］」のように、数字の前後に角括弧を配置して表記した。）
　（１）「［産業上の利用分野］本発明は、表示濃度の制御を行うようにした表示装置に関し、特にキー入力装置を有する表示装置における表示濃度の調節の改良に関するものである。［従来の技術］従来、表示装置における表示濃度を調節するためには、表示器に印加するバイアス電圧を可変抵抗器で調節しており、可変抵抗器を設けるスペースを考慮しなければならず、小型の表示装置、たとえば、小型の電卓、ハンドヘルドコンピュータ、小型テレビ受像機などの表示装置においてはスペースの有効使用から問題であった。」（１頁右下欄２〜１４行）
　（２）「［発明が解決しようとする問題点］そこで、本発明の目的は、可変抵抗器を用いることなしに、表示器の表示濃度の調整を容易に行えるように適切に構成し、以て上述した従来の問題点の解決を図った表示装置を提供することにある。」（１頁右下欄１５〜２０頁）
　（３）「［問題点を解決するための手段］このような目的を達成するために、本発明は、表示器と、表示器の表示濃度を調整する旨を指示する第１手段と、表示濃度を指定する第２手段と、第１および第２手段からの出力に応じて表示濃度の設定データを決定する第３手段と、当該決定された設定データに応じて表示器の表示濃度を設定する第４手段とを具えたことを特徴とする。［作用］本発明によれば、キー入力装置上の数字キーなど特定のキー群を表示濃度に対応させ、かつ、そのキー群の付勢を他の１つの特定キーの付勢と組合せることによって表示濃度の調節を行うことができ、ここで、たとえば数字キーのうちの大きい数字を入力するにつれて表示濃度が濃くなるようにできるので、従来のように可変抵抗器を用いることなく、表示濃度を容易に変更調整でき、したがって、表示装置をコンパクトに構成できる。」（２頁左上欄１〜１９行）
　（４）「第１図は本発明表示装置の一実施例を示し、ここで、１はキーボード、２は中央処理装置（ＣＰＵ）、３は第２図示のデータなどを格納してあるＲＯＭ、４は輝度調整回路、５は表示器、たとえばＬＣＤである。キーボード１にはアルファニューメリックキー群αＮ、スペースキーＳＫ、コード指定（ＣＯＤＥ）キーＣＫなど慣例の各種キーが配置されている。本実施例では、ＣＯＤＥキーと数字キー［１］〜［４］のいずれかとの双方の付勢により表示濃度の調整を行い、たとえば［１］キーのときに最小濃度、［４］キーのときに最大濃度とする。ＲＯＭ３には、そのｘ、ｘ＋１、ｘ＋２、ｘ＋３番地に、それぞれ、輝度調整用のデータＥ０、Ｅｌ、Ｅ２、Ｅ３を格納しておく。輝度調整回路４は、たとえば第３図に示すように、ＣＰＵ２から読み出したデータＥ０〜Ｅ３をラッチするラッチ８、そのラッチ出力を解読するデコーダ６およびそのデコード出力Ｅ０’〜Ｅ３’に対応して駆動バイアスを発生させる駆動バイアス変換部７を有する。この駆動バイアス変換部７は、デコード出力Ｅ０’〜Ｅ３’を受ける反転ゲート７１〜７４とその各反転出力と電源電圧＋Ｖとの間で駆動バイアスをそれぞれ定めるための抵抗Ｒ１〜Ｒ７とを有する。ＲＯＭ３には、ＣＰＵ２を制御するプログラムも格納されており、そのうちの輝度調整のための制御手順はたとえば第４図のように構成できる。第４図において、ＣＰＵ２はステップＳｌにおいてキーボード１からのＣＯＤＥキー入力を待機し、ＣＯＤＥキー入力があると、次のステップＳ２に進み、引き続いての入力が数字キー［１］〜［４］のいずれかであるか否かを判断する。ここで、［１］〜［４］のいずれかのキーが押下されたと判断されると、ステップＳ３に進み、ここで第２図示のＲＯＭ３中の輝度調整用データを探す。このデータは、［１］キーのときにはＥ０、［２］キーのときにはＥｌ、［３］キーのときにはＥ２、［４］キーのときにはＥ３というようにあらかじめ対応づけておく。たとえば、ＣＯＤＥキーと［１］キーが押下されたときには、ＣＰＵ２はｘアドレスの内容Ｅ０を読み出し、次のステップＳ４において、その読み出したデータを輝度調整回路４に転送する。輝度調整回路４では、ＣＰＵ２から転送されてきた読出しデータ（Ｅ０〜Ｅ３のいずれか）を解読し、その解読データ（Ｅ０’〜Ｅ３’のいずれか）により、いずれかの反転ゲート７１〜７４が選択される。ここで、読出したデータがＥ０のときには反転ゲート７１が選択され、その対応抵抗Ｒ１と抵抗Ｒ５〜Ｒ７との分圧回路により定められた電圧が表示器５の駆動バイアスＶｌ〜Ｖ４として、表示器５に印加される。このように、輝度調整回路４では、読出されたデータＥ０〜Ｅ３に応じて、反転ゲート７１〜７４のいずれかを選択することによって、駆動バイアスが設定される。なお、上例では濃度設定のためにＣＯＤＥキーを用いたが、その他、いかなるキーであってもよく、適宜定めた特定のキーと数字キーとの組合せで表示濃度を設定できる。また、数字キーは上述の［１］〜［４］に限られず、適宜の組合せとしてもよいし、あるいはまた、数字キーの代わりにアルファベットキーあるいは特定のファンクションキーをその配置されている順序に濃度と対応させ���用いることも勿論可能である。さらにまた、上述例では、表示器としてＬＣＤを用い、その駆動バイアスを調整するようにしたが、本発明はこの例にのみ限られるものではなく、その他各種の表示器にも有効に適用でき、たとえばプラズマディスプレイや陰極線管ディスプレイなどにおいても、それぞれ、プラズマ放電電圧や電子銃の駆動電圧を上述したように２種類のキー入力で設定することができる。」（２頁右上欄３行〜３頁左上欄１４行）
　（５）「［発明の効果］以上から明らかなように、本発明によれば、キー入力装置上の数字キーなど特定のキー群を表示濃度に対応させ、かつ、そのキー群の付勢を他の１つの特定キーの付勢と組合せることによって表示濃度の調節を行うことができ、ここで、たとえば数字キーのうちの大きい数字を入力するにつれて表示濃度が濃くなるようにできるので、従来のように可変抵抗器を用いることなく、表示濃度を容易に変更調整でき、したがって、表示装置をコンパクトに構成できる。」（３頁左上欄１５行〜右上欄５行）
　
第４　当審の判断
　本願発明と刊行物１に記載された発明とを対比すると、刊行物１に記載されたディスプレイ装置８８は、コンピュータと接続可能であり、映像の表示が可能である点で、本願発明の「表示装置」に相当する。刊行物１に記載されたシリアルリンク３のケーブルは、本願発明の「インターフェイスケーブル」に相当する。刊行物１に記載された受信器５とドライバ１６は、制御信号を受信し、サンプルを送信する点で本願発明の「インターフェイス部」に相当する。刊行物１に記載されたプログラムＮＶＭ１１とディスプレイ入力／出力回路１２は、視覚出力の高さ、幅及び輝度に直接影響する駆動信号を調整するものであるから、本願発明の「ディスプレイ制御回路」に相当する。
　そうすると、本願発明と刊行物１に記載された発明とは、以下の一致点で一致し、以下の相違点１及び２で相違する。
　一致点　本願発明と刊行物１に記載された発明とが「コンピュータと接続可能であり、映像の表示が可能な表示装置において、前記コンピュータと双方向通信可能なインターフェイスケーブルを介して接続され」、「前記表示装置の表示画面を調整するための制御データを該コンピュータから入力するインターフェイス部と、前記インターフェイス部に入力された前記制御データを用いて前記表示画面の制御を行うディスプレイ制御回路と」を備え、「前記インターフェイス部は」、「状態に関する情報を、前記インターフェイスケーブルを介して送信可能である」「表示装置」である点。
　相違点１　本願発明では制御データが「前記コンピュータの入力装置に対する操作によって生成された」ものであるところ、刊行物１にはこのような記載がされていない点。
　相違点２　本願発明では情報が送信される状態が「前記ディスプレイ制御回路における前記表示画面の制御結果として」の「該表示画面の制御状態」であるところ、刊行物１にはこのような記載がされていない点。
　相違点１について検討すると、ハンドヘルドコンピュータ等においてキー入力装置上のキーの操作によって表示の調整、制御を行うことは刊行物２に示されており、刊行物１に記載された発明において表示の制御をコンピュータの入力装置に対する操作によって行い、相違点１のようにすることは当業者が適宜に為し得ることである。
　相違点２について検討すると、刊行物１に記載された発明では、駆動回路１３により発生する駆動信号を調整し、駆動信号の大きさを表わすサンプルコードを発生して送信しているところ、制御を行う場合にその制御結果、制御状態を送信させることは周知慣用の技術手段であり、刊行物１に記載された発明においてサンプルコードを駆動信号を調整した結果のサンプルコードとし、制御結果、制御状態を送信させて、相違点２のようにすることは当業者が適宜に為し得ることである。
　本願発明の作用効果についてみても、刊行物１及び２に記載された発明並びに周知慣用の技術手段から予測しうる範囲内のものであって、格別のものではない。
　そうすると、本願発明は、当業者が刊行物１及び２に記載された発明並びに周知慣用の技術手段に基いて容易に発明をすることができたものである。
　
第５　まとめ
　以上のとおりであるから、本件出願の請求項１に係る発明である本願発明は特許法２９条２項の規定により特許を受けることができないものであり、その余の請求項に係る発明についての判断を示すまでもなく、本件出願は、拒絶をすべきものである。
　よって、結論のとおり審決する。